(57)【要約】【課題】アンライセンスドバンドにセカンダリーセル（SCell）を設定する際に、アンライセンスドバンドの受信電力を効率的に測定し、測定した受信電力を無線アクセスネットワークに報告できる移動局及び移動通信方法を提供する。【解決手段】UE100は、セカンダリーセルの周波数帯におけるRSSIを繰り返し測定するRSSI測定部133と、RSSIの測定結果に基づいて、当該測定結果を無線アクセスネットワークに報告するか否かを判定する報告判定部140と、当該測定結果を無線アクセスネットワークに報告する測定報告部150とを備える。報告判定部140は、測定結果が所定の閾値を超えた場合、当該測定結果を無線アクセスネットワークに報告すると判定する。【選択図】図２
2017017369.tif 000002
【特許請求の範囲】
【請求項１】
免許不要の周波数帯である特定周波数帯にセカンダリーセルを設定し、キャリアアグリゲーションを実行する移動局であって、
前記セカンダリーセルの周波数帯における受信電力を繰り返し測定する受信電力測定部と、
前記受信電力測定部によって測定された前記受信電力の測定結果に基づいて、前記測定結果を無線アクセスネットワークに報告するか否かを判定する報告判定部と、
前記測定結果を前記無線アクセスネットワークに報告する測定報告部と
を備え、
前記報告判定部は、前記測定結果が所定の閾値を超えた場合、前記測定結果を無線アクセスネットワークに報告すると判定する移動局。
【請求項２】
前記報告判定部は、前記受信電力の測定結果の度数分布のうち、所定の階級における相対度数が所定の閾値を超えた場合、前記測定結果を無線アクセスネットワークに報告すると判定する請求項１に記載の移動局。
【請求項３】
前記測定報告部は、前記受信電力の測定結果の度数分布を前記無線アクセスネットワークに報告する請求項１に記載の移動局。
【請求項４】
前記測定報告部は、物理レイヤにおける前記測定結果であって、所定の報告条件に基づくフィルタリングが行われる前の前記測定結果に基づいて前記度数分布を前記無線アクセスネットワークに報告する請求項３に記載の移動局。
【請求項５】
前記測定報告部は、所定の報告条件に基づくフィルタリングが行われた後の前記測定結果の平均値を前記無線アクセスネットワークに報告する請求項１に記載の移動局。
【請求項６】
前記測定報告部は、前記受信電力の測定結果の度数分布のうち、相対度数が最も大きい階級の値を前記平均値として前記無線アクセスネットワークに報告する請求項５に記載の移動局。
【請求項７】
前記測定結果の報告形式を指定する報告設定を前記無線アクセスネットワークから取得する報告設定取得部を備え、
前記報告設定は、前記測定結果の度数分布、前記測定結果の平均値、または前記度数分布と前記平均値との両方を報告するかを指定するものであり、
前記測定報告部は、前記報告設定取得部によって取得された前記報告設定に基づいて、前記度数分布、前記平均値、または前記度数分布と前記平均値との両方を前記無線アクセスネットワークに報告する請求項１に記載の移動局。
【請求項８】
免許不要の周波数帯である特定周波数帯にセカンダリーセルを設定し、キャリアアグリゲーションを実行する移動通信方法であって、
前記セカンダリーセルの周波数帯における受信電力を繰り返し測定するステップと、
測定された前記受信電力の測定結果に基づいて、前記測定結果を無線アクセスネットワークに報告するか否かを判定するステップと、
前記測定結果を前記無線アクセスネットワークに報告するステップと
を含み、
前記判定するステップでは、前記測定結果が所定の閾値を超えた場合、前記測定結果を無線アクセスネットワークに報告する移動通信方法。
【発明の詳細な説明】
【技術分野】
【０００１】
本発明は、２以上のコンポーネントキャリアを用いてキャリアアグリゲーションを実行する移動局及び移動通信方法に関し、特に、アンライセンスドバンドを利用してキャリアアグリゲーションを実行する移動局及び移動通信方法に関する。
【背景技術】
【０００２】
3rd Generation Partnership Project（3GPP）では、無線LANやBluetooth（登録商標）などが利用する免許不要の周波数帯である「アンライセンスドバンド」（特定周波数帯）において、Long Term Evolution（LTE）による移動体通信を実現するLicensed Associated Access（LAA）が検討されている。
【０００３】
具体的には、キャリアアグリゲーション（CA）を実行する際に、セカンダリーセル（SCell）を設定すること、具体的には、SCellのコンポーネントキャリア（CC）をアンライセンスドバンドに設定することが検討されている（非特許文献１参照）。
【０００４】
また、LAAの場合でも、既存のRadio Resource Management（RRM） measurementsの仕組みを利用して、SCellを設定及び活性化することが合意されている（非特許文献２参照）。
【０００５】
一方、LAAの場合、アンライセンスドバンドの品質、及びLTEの無線基地局からは発見することが難しい、いわゆる「隠れ端末」問題に対応するため、アンライセンスドバンドの全システム帯域幅の受信電力であるReceived Signal Strength Indicator（RSSI）を測定することが検討されている。
【先行技術文献】
【非特許文献】
【０００６】
【非特許文献１】3GPP RP-141817, “Study on Licensed-Assisted Access to Unlicensed Spectrum”、3GPP、２０１４年１２月、［２０１５年５月２５日検索］、インターネット<URL：http://www.3gpp.org/ftp/tsg_ran/TSG_RAN/TSGR_66/Docs/>
【非特許文献２】3GPP R2-152002, “Draft Report of 3GPP TSG RAN WG2 meeting #89bis””、3GPP、２０１４年１２月、［２０１５年５月２５日検索］、インターネット<URL：http://www.3gpp.org/ftp/Meetings_3GPP_SYNC/RAN2/Docs/>
【発明の概要】
【発明が解決しようとする課題】
【０００７】
上述したように、アンライセンスドバンドにセカンダリーセル（SCell）を設定する場合にもDRSが送信されるため、既存のRRM Measurementsと同様に、つまり、プライマリーセル（PCell）と同様に、Reference signal received power（RSRP）及びReference signal received quality（RSRQ）を測定することができる。
【０００８】
しかしながら、アンライセンスドバンドのRSSIを測定する場合、既存のRRM Measurementsでは、移動局（UE）は、RSSIを測定するタイミング、及び測定したRSSIを無線アクセスネットワークに報告する方法を決定することができない。
【０００９】
そこで、本発明は、このような状況に鑑みてなされたものであり、アンライセンスドバンドにセカンダリーセル（SCell）を設定する際に、アンライセンスドバンドの受信電力を効率的に測定し、測定した受信電力を無線アクセスネットワークに報告できる移動局及び移動通信方法の提供を目的とする。
【課題を解決するための手段】
【００１０】
本発明の一態様に係わる移動局は、免許不要の周波数帯である特定周波数帯にセカンダリーセルを設定し、キャリアアグリゲーションを実行する。移動局は、前記セカンダリーセルの周波数帯における受信電力を繰り返し測定する受信電力測定部と、前記受信電力測定部によって測定された前記受信電力の測定結果に基づいて、前記測定結果を無線アクセスネットワークに報告するか否かを判定する報告判定部と、前記測定結果を前記無線アクセスネットワークに報告する測定報告部とを備える。前記報告判定部は、前記測定結果が所定の閾値を超えた場合、前記測定結果を無線アクセスネットワークに報告すると判定する。
【００１１】
本発明の一態様に係る移動通信方法は、免許不要の周波数帯である特定周波数帯にセカンダリーセルを設定し、キャリアアグリゲーションを実行することに関するものである。移動通信方法は、前記セカンダリーセルの周波数帯における受信電力を繰り返し測定するステップと、測定された前記受信電力の測定結果に基づいて、前記測定結果を無線アクセスネットワークに報告するか否かを判定するステップと、前記測定結果を前記無線アクセスネットワークに報告するステップとを含む。前記判定するステップでは、前記測定結果が所定の閾値を超えた場合、前記測定結果を無線アクセスネットワークに報告する。
【発明の効果】
【００１２】
上述した移動局及び移動通信方法によれば、アンライセンスドバンドにセカンダリーセル（SCell）を設定する際に、アンライセンスドバンドの受信電力を効率的に測定し、測定した受信電力を無線アクセスネットワークに報告できる。
【図面の簡単な説明】
【００１３】
【図１】図１は、移動通信システム10の全体概略構成図である。
【図２】図２は、UE100の機能ブロック構成図である。
【図３】図３は、E-UTRAN30とUE100との間における測定報告に関する通信シーケンスを示す図である。
【図４】図４は、UE100の測定動作フローを示す図である。
【図５】図５は、RSSI（測定結果）のヒストグラムの例を示す図である。
【図６】図６は、TS36.331のClause 5.5.4において新たに規定されるイベント（Clause 5.5.4.X）の例を示す図である。
【図７】図７は、TS36.331のClause 6.3.5において規定されるReportConfigEUTRAの規定例を示す図である。
【図８】図８は、S36.331のClause 6.3.5において規定されるReportConfigEUTRAの規定例を示す図（続き）である。
【発明を実施するための形態】
【００１４】
以下、実施形態を図面に基づいて説明する。なお、同一の機能や構成には、同一または類似の符号を付して、その説明を適宜省略する。
【００１５】
（１）移動通信システムの全体概略構成
図１は、本実施形態に係る移動通信システム10の全体概略構成図である。移動通信システム10は、Evolved Universal Terrestrial Radio Access Network 30（以下、E-UTRAN30）及び移動局100（以下、UE100）を含む。
【００１６】
E-UTRAN30は、無線基地局50（以下、eNB50）を含む。E-UTRAN30は、Long Term Evolution（LTE）に従った無線アクセスネットワークであり、eNB50とUE100とは、LTEに従った無線通信を実行する。なお、LTEには、LTE-Advancedが含まれる。
【００１７】
IPネットワーク20は、Internet Protocolをベースとした通信ネットワークである。IPネットワーク20には、インターネットが含まれてもよい。E-UTRAN30は、IPネットワーク20に接続されている。
【００１８】
また、IPネットワーク20には、無線LAN40が接続されている。無線LAN40は、アクセスポイント60を含む。アクセスポイント60とUE100とは、所定の無線LANの標準（IEEE802.11b/g/n/acなど）に従った無線通信を実行することができる。なお、UE100は、必ずしも当該無線LANに従った無線通信機能を備えていなくても構わない。
【００１９】
無線LAN40が利用する周波数帯は、アンライセンスドバンドB2に割り当てられている。アンライセンスドバンド（特定周波数帯）とは、国などの行政庁による免許が不要な無線通信方式に割り当てられる周波数帯である。無線LAN及びBluetooth（登録商標）などが該当する。
【００２０】
移動通信システム10は、２以上のコンポーネントキャリアを用いて、同時に通信を行うキャリアアグリゲーションに対応している。特に、本実施形態では、移動通信システム10は、Licensed Associated Access（LAA）に基づいたキャリアアグリゲーションを実行することができる。
【００２１】
具体的には、移動通信システム10は、LTE用として移動通信システム10（PLMN）のオペレータに免許が与えられたライセンスドバンドB1に１つのプライマリーセル70（以下、PCell70）を設定し、無線LAN40などが利用するアンライセンスドバンドB2に１つまたは複数のセカンダリーセル80（以下、SCell80）を設定することができる。SCell80は、PCell70とともに設定される。
【００２２】
一般的に、アンライセンスドバンドB2は、ライセンスドバンドB1よりも広帯域である。
【００２３】
なお、LTE用のライセンスドバンドB1は、LTEにおいて規定されているE-UTRAN Absolute Radio Frequency Channel Number（EARFCN）の基づいて、コンポーネントキャリアの中心周波数などが指定される。また、アンライセンスドバンドB2についても、EARFCNに準じた仕組みによって規定されていてもよい。具体的には、アンライセンスドバンドB2におけるキャリアの中心周波数及び周波数帯域幅が規定されてもよい。
【００２４】
（２）機能ブロック構成
次に、移動通信システム10に含まれるUE100の機能ブロック構成について説明する。図２は、UE100の機能ブロック構成図である。
【００２５】
図２に示すように、UE100は、PCell通信部111、SCell通信部113、報告設定取得部120、RSRP/RSRQ測定部131、RSSI測定部133、報告判定部140及び測定報告部150をなお、各機能ブロックは、CPUなどの情報処理プロセッサ及びメモリやハードディスクなどの記憶装置によって構成される。
【００２６】
PCell通信部111は、PCell70を介した無線通信を実行する。具体的には、PCell通信部111は、PCell70を介してE-UTRAN30とRadio Resource Control（RRC） Connectionを設定し、無線通信を実行する。
【００２７】
SCell通信部113は、SCell80を介した無線通信を実行する。具体的には、SCell通信部113は、PCell通信部111によるPCell70を介した無線通信に加えて、１または複数のSCell80を介した無線通信を実行することができる。つまり、PCell通信部111とSCell通信部113とによって、２つ以上のコンポーネントキャリア（CC）を用いたキャリアアグリゲーション（CA）を実行することができる。
【００２８】
なお、SCell通信部113は、ライセンスドバンドB1に設定されたSCell80、アンライセンスドバンドB2に設定されたSCell80の何れかまたは両方を用いて無線通信を実行することができる。
【００２９】
報告設定取得部120は、報告設定（ReportConfig）をE-UTRAN30から取得する。報告設定は、UE100が在圏するセル（PCell70及びSCell80）における受信状態の測定結果の報告形式を指定するものである。
【００３０】
具体的には、報告設定取得部120は、ReportConfigEUTRAをE-UTRAN30から取得する。ReportConfigEUTRAには、測定結果の度数分布、測定結果の平均値、または度数分布と平均値との両方を報告するかを指定する要素が含まれる。
【００３１】
測定結果の度数分布とは、RSSI測定部133によって繰り返し測定されるRSSIの度数分布、具体的には、ヒストグラムである。測定結果の平均値とは、当該RSSIの平均値である。
【００３２】
また、報告設定には、UE100によるRSSIの測定周期、またはRSSIの測定を開始する条件（triggered event）が含まれる。
【００３３】
RSRP/RSRQ測定部131は、Discovery Signal（DRS）によって指定された参照信号（RS）に基づいて、PCell70またはSCell80における当該参照信号の受信状態を測定する。具体的は、RSRP/RSRQ測定部131は、E-UTRAN30（具体的には、eNB50）から定期的に送信されるPrimary Synchronization Signal（PSS）、Secondary Synchronization Signal（SSS）またはCell-specific Reference Signal（CRS）によって指定される参照信号に基づいて、当該参照信号の受信電力及び受信品質の何れかまたは両方を測定する。
【００３４】
より具体的には、RSRP/RSRQ測定部131は、Reference signal received power（RSRP）及びReference signal received quality（RSRQ）の何れかまたは両方を測定する。
【００３５】
RSSI測定部133は、アンライセンスドバンドB2における受信電力を測定する。本実施形態において、RSSI測定部133は、受信電力測定部を構成する。
【００３６】
当該受信電力の値は、Received Signal Strength Indicator（RSSI）として、3GPP TS36.214において規定されている。
【００３７】
RSSI測定部133は、SCell80の周波数帯におけるRSSIを繰り返し測定する。具体的には、RSSI測定部133は、所定の周期に基づいてRSSIを繰り返し測定（periodic measurement）する。なお、所定の周期は、E-UTRAN30から指定されてもよいし、UE100において予め設定されてもよい。
【００３８】
なお、RSSI測定部133は、SCell80の周波数帯において用いられるキャリア（コンポーネントキャリア）の周波数帯毎にRSSIを測定することができる。一方、RSSI測定部133は、アンライセンスドバンドB2の全システム帯域幅におけるRSSIを測定することもできる。全システム帯域幅とは、UE100が受信可能な全周波数帯域を意味する。
【００３９】
報告判定部140は、RSSIの測定結果をE-UTRAN30に報告するか否かを判定する。具体的には、報告判定部140は、RSSI測定部133によって測定されたRSSIの測定結果に基づいて、当該測定結果を報告するか否かを判定する。
【００４０】
報告判定部140は、RSSIの測定結果が所定の閾値を超えた場合、当該測定結果をE-UTRAN30に報告すると判定する。
【００４１】
具体的には、報告判定部140は、SCell80における測定対象のキャリア（測定対象異周波キャリア）の周波数帯におけるRSSIの測定値が所定の閾値を超えた場合をentering condition（報告開始条件）、当該測定値が所定の閾値以下になったことをleaving condition（報告停止条件）として、当該RSSIの測定結果を報告するか否かを判定する。
【００４２】
より具体的には、報告判定部140は、測定結果の度数分布のうち、所定の階級における相対度数（つまり、確率）が所定の閾値を超えた場合、当該測定結果を報告すると判定することができる。
【００４３】
RSSIの測定結果の度数分布とは、RSSI測定部133によって繰り返し測定された当該周波数帯におけるRSSIのヒストグラムである。なお、当該ヒストグラムの例については、後述する。
【００４４】
測定報告部150は、RSRP/RSRQ測定部131及びRSSI測定部133によって測定された測定結果をE-UTRAN30に報告する。
【００４５】
具体的には、測定報告部150は、RSRP/RSRQ測定部131によって測定されたRSRP/RSRQをE-UTRAN30に報告する。また、測定報告部150は、RSSI測定部133によって測定されたRSSIをE-UTRAN30に報告する。
【００４６】
このように、測定報告部150は、測定されたRSSIをE-UTRAN30に報告する場合、セル単位ではなく、測定対象のキャリア（測定対象異周波キャリア）の周波数帯単位（つまり、キャリア単位）で測定結果をE-UTRAN30に報告することができる。
【００４７】
測定報告部150は、報告設定取得部120によって取得された報告設定（ReportConfig）に基づいて、RSSI測定部133によって測定されたRSSIの測定結果をE-UTRAN30に報告する。
【００４８】
具体的には、測定報告部150は、RSSIのヒストグラム（度数分布）、RSSIの平均値、または当該ヒストグラムと当該平均値との両方をE-UTRAN30に報告することができる。
【００４９】
測定報告部150は、RSSIのヒストグラム（度数分布）をE-UTRAN30に報告することができる。なお、RSSIのヒストグラムを報告する場合、測定報告部150は、3rd Generation Partnership Project（3GPP）において規定されるレイヤ３フィルタリングが行われる前のRSSIの測定結果に基づくヒストグラムを生成することができる。
【００５０】
すなわち、当該ヒストグラムは、レイヤ３フィルタリングが行われる前の物理レイヤにおけるRSSIの測定結果に基づいて生成することができる。このように、測定報告部150は、物理レイヤにおけるRSSIの測定結果であって、所定の報告条件に基づくフィルタリング（レイヤ３フィルタリング）が行われる前の測定結果に基づいて当該ヒストグラムを報告することができる。
【００５１】
レイヤ３フィルタリングは、3GPP TS36.331のClause 5.5.3.2において規定されている。レイヤ３フィルタリングは、RSSIなどの物理レイヤでの測定結果を、当該測定結果が上知レイヤでの評価に用いられる前に所定の条件に基づいて絞り込むものである。
【００５２】
また、測定報告部150は、RSSIのヒストグラムではなく、レイヤ３フィルタリングが行われた後の測定結果の平均値をE-UTRAN30に報告してもよい。或いは、測定報告部150は、RSSIのヒストグラムのうち、相対度数が最も大きい階級の値を平均値としてE-UTRAN30に報告してもよい。
【００５３】
（３）移動通信システムの動作
次に、上述した移動通信システム10の動作について説明する。具体的には、図３〜図７を参照して、E-UTRAN30とUE100との間における測定報告に関する通信シーケンス、UE100の測定動作フロー、及びUE100の動作規定例について説明する。
【００５４】
（３．１）通信シーケンス
図３は、E-UTRAN30とUE100との間における測定報告に関する通信シーケンスを示す。図３に示すように、E-UTRAN30は、サービングセルであるPCell70を介してRRCConnectionReconfigrationをUE100に送信する（S10）。RRCConnectionReconfigrationには、UE100に測定を指示する情報要素MeasConfigが含まれる。また、MeasConfigには、上述したReportConfig（ReportConfigEUTRA）が含まれる。
【００５５】
UE100は、受信したRRCConnectionReconfigrationに含まれるMeasConfigを取得する。UE100は、取得したMeasConfigに基づいて、UE100における受信状態を測定し、測定結果をMeasurementReportとしてE-UTRAN30に報告する（S20）。
【００５６】
なお、PSS、SSS及びCRSは、別の情報要素によってE-UTRAN30からUE100に送信される。
【００５７】
（３．２）移動局の動作フロー
図４は、UE100の測定動作フローを示す。ここでは、UE100は、キャリアアグリゲーションを実行しており、プライマリーセル（PCell70）、及び１または複数のセカンダリーセル（SCell80）のセル毎にサービングセルを設定している状態とする。なお、PCell70は、ライセンスドバンドB1に設定され、SCell80は、アンライセンスドバンドB2（図１参照）に設定されるものとする。
【００５８】
図４に示すように、UE100は、E-UTRAN30から送信されるReportConfigを取得する（S110）。具体的には、UE100は、上述したように、取得したMeasConfigに含まれるReportConfigに基づいて、UE100が在圏するセル（PCell70及びSCell80）における受信状態の測定結果の報告形式を取得する。
【００５９】
当該報告形式には、アンライセンスドバンドB2に設定されるSCell80における測定対象のキャリア（測定対象異周波キャリア）の周波数帯におけるRSSIの測定方法が含まれている。
【００６０】
UE100は、測定対象のキャリアがアンライセンスドバンドB2を利用するか否か、つまり、測定対象のキャリアがアンライセンスドバンドB2に割り当てられるか否かを判定する（S120）。
【００６１】
アンライセンスドバンドB2が利用される場合、UE100は、測定対象のキャリアの周波数帯におけるRSSIを繰り返し測定する（S130）。具体的には、UE100は、当該周波数帯における受信電力のレベル（単位：dBm）を測定する。
【００６２】
UE100は、繰り返し測定したRSSIの測定結果が所定の閾値を超え、entering condition（報告開始条件）を満足したか否かを判定する（S140）。具体的には、UE100は、上述したように、RSSIを繰り返し測定することによって生成されたRSSIのヒストグラムのうち、所定の階級における相対度数（つまり、確率）が所定の閾値を超えた場合、当該測定結果をE-UTRAN30に報告すると判定することができる。
【００６３】
ここで、図５は、RSSI（測定結果）のヒストグラムの例を示す。図５に示すように、RSSIのヒストグラムは、RSSI（受信電力）のレベルに応じた複数の階級と、相対度数（確率）との関係を示す。相対度数は、RSSIの全測定度数における当該階級の割合を示しており、0〜1の間の数値で表現される。
【００６４】
図５に示すヒストグラムの例では、-140dBm〜-81dBmの間において、10dB毎に階級が設定されている。例えば、UE100は、-130〜-121dBm（所定の階級）におけるRSSIの相対度数が、0.3（所定の閾値）を超えた場合、図５に示すRSSIのヒストグラムなどを報告すると判定する。なお、所定の階級を示す場合には、当該階級値として中央値を用いてもよい。
【００６５】
UE100は、測定したRSSIの測定結果をE-UTRAN30に報告する（S150）。具体的には、UE100は、上述したように、RSSIのヒストグラム（度数分布）、RSSIの平均値、または当該ヒストグラムと当該平均値の両方をE-UTRAN30に報告することができる。
【００６６】
また、上述したように、レイヤ３フィルタリングが行われた後の測定結果が用いられてもよく、RSSIの平均値を報告する場合には、RSSIのヒストグラムのうち、相対度数が最も大きい階級の値を平均値としてE-UTRAN30に報告してもよい。
【００６７】
UE100は、繰り返し測定しているRSSIの測定結果が、所定の閾値以下になり、leaving condition（報告停止条件）を満足したか否かを判定する（S160）。具体的には、UE100は、上述したように、RSSIを繰り返し測定することによって生成されたRSSIのヒストグラムのうち、所定の階級における相対度数（つまり、確率）が所定の閾値以下となった場合、当該測定結果の報告を停止すると判定する。
【００６８】
一方、測定対象のキャリアがアンライセンスドバンドB2ではなく、ライセンスドバンドB1に割り当てられる場合、つまり、ライセンスドバンドB1が利用される場合、UE100は、DRSに基づいて、アンライセンスドバンドB2において参照信号（RS）のRSRP/RSRQを測定する（S170）。
【００６９】
UE100は、測定したRSRP/RSRQをE-UTRAN30に報告する（S180）。
【００７０】
（３．３）動作規定例
次に、UE100が上述した動作を実行するために規定される3GPPのTechnical Standard（TS）における規定例について説明する。なお、以下は、規定例であり、このような規定例以外の方法によって、同様の動作が規定されても構わない。
【００７１】
図６は、TS36.331のClause 5.5.4において新たに規定されるイベント（Clause 5.5.4.X）の例を示す。図６に示すように、当該イベント（D2）では、測定対象異周波キャリアの周波数帯におけるRSSIの測定結果が所定の閾値を超えた場合の動作について規定されている。なお、D2は、便宜上付与されたものであり、他の名称でも構わない。
【００７２】
具体的には、entering conditionとして、D2-1が規定される。また、leaving conditionとして、D2-2が規定される。D2-1及びD2-2では、RSSIの測定結果（Mf）、オフセット（Of）及びヒステリシス（Hys）の値が、所定の閾値（Thresh）を超えたか否かに基づいて、entering condition及びleaving conditionが判定される。
【００７３】
図７及び図８は、TS36.331のClause 6.3.5において規定されるReportConfigEUTRAの規定例を示す。なお、図８は、図７に示した部分の続きを示している。また、下線部が従来の規定内容からの変更部分である。
【００７４】
図７及び図８に示すように、新たなイベントD2が規定されている。また、新たなパラメータとして、reportCarrierFreq-r13、reportRSSI-Meas-r13、及びtriggerQuantityRSSI-r13が規定されている。
【００７５】
reportCarrierFreq-r13は、周期的なRSSIの測定を実行することを示し、測定対象異周波キャリアの周波数帯の中心周波数（carrierFreq）がアンライセンスドバンドB2に属しており、DRSに基づく測定（measDS-Config）が設定されていない場合に適用される。つまり、この場合、UE100は、RSRP/RSRQを測定する必要がない。
【００７６】
reportRSSI-Meas-r13は、レイヤ３フィルタリングが行われた後のRSSI、RSSIのヒストグラム、またはレイヤ３フィルタリングが行われた後のRSSIとRSSIのヒストグラムの両方を報告すること指定する。
【００７７】
triggerQuantityRSSI-r13は、報告の対象となるRSSIの測定数を指定する。
【００７８】
また、ThresholdEUTRA-v13xyが規定されているが、ThresholdEUTRA-v13xyは、RSSIの値の範囲を指定する。
【００７９】
（４）作用・効果
上述した実施形態によれば、以下の作用効果が得られる。UE100は、アンライセンスドバンドB2にSCell80を設定し、キャリアアグリゲーションを実行する場合、SCell80の周波数帯におけるRSSI（受信電力）を繰り返し測定する。また、UE100は、RSSIの測定結果が所定の閾値を超えた場合、当該測定結果をE-UTRAN30に報告する。
【００８０】
これにより、UE100は、RSSIを測定するタイミング、及び測定したRSSIをE-UTRAN30に確実に報告することができる。すなわち、UE100によれば、アンライセンスドバンドB2にSCell80を設定する際に、アンライセンスドバンドB2のRSSIを効率的に測定し、測定したRSSIをE-UTRAN30に報告できる。
【００８１】
また、このようにアンライセンスドバンドB2のRSSIが効率的にE-UTRAN30に報告されるため、E-UTRAN30（eNB50）は、SCell80における測定対象のキャリア（測定対象異周波キャリア）の周波数帯における受信品質が変化したことを速やかに認識し、アンライセンスドバンドB2におけるSCell80の追加や削除を効率的に実行し得る。
【００８２】
本実施形態では、UE100は、RSSIのヒストグラムのうち、所定の階級における相対度数が所定の閾値を超えた場合、RSSIの測定結果、具体的には、RSSIのヒストグラムをE-UTRAN30に報告することができる。
【００８３】
このため、アンライセンスドバンドB2の受信状態について、より信頼性の高い情報をE-UTRAN30に提供できる。また、これにより、アンライセンスドバンドB2におけるSCell80の追加や削除をさらに効率的に実行し得る。
【００８４】
本実施形態では、UE100は、物理レイヤにおける測定結果であって、レイヤ３フィルタリングが行われる前の測定結果に基づいて、RSSIのヒストグラムをE-UTRAN30に報告することができる。このため、アンライセンスドバンドB2の実際の受信状態を示す情報をE-UTRAN30に提供できる。また、これにより、アンライセンスドバンドB2におけるSCell80の追加や削除をさらに効率的に実行し得る。
【００８５】
本実施形態では、UE100は、レイヤ３フィルタリングが行われた後のRSSIの測定結果の平均値をE-UTRAN30に報告することができる。また、UE100は、RSSIのヒストグラムのうち、相対度数が最も大きい階級の値を平均値としてE-UTRAN30に報告することもできる。このため、生成したRSSIのヒストグラムを用いて効率的にRSSIの平均値をE-UTRAN30に報告することができる。
【００８６】
本実施形態では、UE100は、E-UTRAN30から取得した報告設定（ReportConfig）に基づいて、RSSIのヒストグラム、RSSIの平均値、またはRSSIのヒストグラムとRSSIの平均値との両方をE-UTRAN30に報告することができる。このため、E-UTRAN30が必要とするRSSIの情報をUE100から容易に取得することができる。
【００８７】
（５）その他の実施形態
以上、実施形態に沿って本発明の内容を説明したが、本発明はこれらの記載に限定されるものではなく、種々の変形及び改良が可能であることは、当業者には自明である。
【００８８】
例えば、上述した実施形態では、UE100は、RSSIの測定結果が所定の閾値を超えた場合、当該測定結果をE-UTRAN30に報告すると判定していたが、UE100は、RSSIの測定結果として、複数回測定したRSSIの単純な平均値ではなく、RSSIのヒストグラムのうち、所定の階級における相対度数が所定の閾値を超えた場合に、当該ヒストグラム、またはRSSIの平均値をE-UTRAN30に報告するようにしてもよい。
【００８９】
また、上述した実施形態では、ReportConfigEUTRAを用いてRSSIの報告設定を指定していたが、必ずしもReportConfigEUTRAを用いる必要はなく、他の情報要素を用いて、RSSIの報告設定をUE100に対して指示してもよい。
【００９０】
上述した実施形態では、LTEを例として説明したが、LTEには、LTE-Advancedも含まれるとともに、LTEのみに限定されるものではない。
【００９１】
また、本発明は、以下のように表現されてもよい。本発明の一態様に係わる移動局（UE100）は、免許不要の周波数帯である特定周波数帯（アンライセンスドバンドB2）にセカンダリーセル（SCell80）を設定し、キャリアアグリゲーションを実行する。移動局は、前記セカンダリーセルの周波数帯における受信電力（RSSI）を繰り返し測定する受信電力測定部（RSSI測定部133）と、前記受信電力測定部によって測定された前記受信電力の測定結果に基づいて、前記測定結果を無線アクセスネットワーク（E-UTRAN30）に報告するか否かを判定する報告判定部（報告判定部140）と、前記測定結果を前記無線アクセスネットワークに報告する測定報告部（測定報告部150）とを備える。前記報告判定部は、前記測定結果が所定の閾値を超えた場合、前記測定結果を無線アクセスネットワークに報告すると判定する。
【００９２】
本発明の一態様において、前記報告判定部は、前記受信電力の測定結果の度数分布（ヒストグラム）のうち、所定の階級における相対度数が所定の閾値を超えた場合、前記測定結果を無線アクセスネットワークに報告すると判定してもよい。
【００９３】
本発明の一態様において、前記測定報告部は、前記受信電力の測定結果の度数分布を前記無線アクセスネットワークに報告してもよい。
【００９４】
本発明の一態様において、前記測定報告部は、物理レイヤにおける前記測定結果であって、所定の報告条件に基づくフィルタリング（レイヤ３フィルタリング）が行われる前の前記測定結果に基づいて前記度数分布を前記無線アクセスネットワークに報告してもよい。
【００９５】
本発明の一態様において、前記測定報告部は、所定の報告条件に基づくフィルタリングが行われた後の前記測定結果の平均値を前記無線アクセスネットワークに報告してもよい。
【００９６】
本発明の一態様において、前記測定報告部は、前記受信電力の測定結果の度数分布のうち、相対度数が最も大きい階級の値を前記平均値として前記無線アクセスネットワークに報告してもよい。
【００９７】
本発明の一態様において、前記測定結果の報告形式を指定する報告設定を前記無線アクセスネットワークから取得する報告設定取得部（報告設定取得部120）を備え、前記報告設定は、前記測定結果の度数分布、前記測定結果の平均値、または前記度数分布と前記平均値との両方を報告するかを指定するものであり、前記測定報告部は、前記報告設定取得部によって取得された前記報告設定に基づいて、前記度数分布、前記平均値、または前記度数分布と前記平均値との両方を前記無線アクセスネットワークに報告してもよい。
【００９８】
本発明の一態様に係る移動通信方法は、免許不要の周波数帯である特定周波数帯にセカンダリーセルを設定し、キャリアアグリゲーションを実行することに関するものである。移動通信方法は、前記セカンダリーセルの周波数帯における受信電力を繰り返し測定するステップと、測定された前記受信電力の測定結果に基づいて、前記測定結果を無線アクセスネットワークに報告するか否かを判定するステップと、前記測定結果を前記無線アクセスネットワークに報告するステップとを含む。前記判定するステップでは、前記測定結果が所定の閾値を超えた場合、前記測定結果を無線アクセスネットワークに報告する。
【００９９】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【０１００】
10  移動通信システム
20  IPネットワーク
30  E-UTRAN
40  無線LAN
50  eNB
60  アクセスポイント
70  PCell
80  SCell
100  UE
111  PCell通信部
113  SCell通信部
120  報告設定取得部
131  RSRP/RSRQ測定部
133  RSSI測定部
140  報告判定部
150  測定報告部
B1  ライセンスドバンド
B2  アンライセンスドバンド
【図１】
2017017369.tif 000003
【図２】
2017017369.tif 000004
【図３】
2017017369.tif 000005
【図４】
2017017369.tif 000006
【図５】
2017017369.tif 000007
【図６】
2017017369.tif 000008
【図７】
2017017369.tif 000009
【図８】
2017017369.tif 000010
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
免許不要の周波数帯である特定周波数帯にセカンダリーセルを設定し、キャリアアグリゲーションを実行する移動局であって、
前記セカンダリーセルの周波数帯における受信電力を繰り返し測定する受信電力測定部と、
前記受信電力測定部によって測定された前記受信電力の測定結果に基づいて、前記測定結果を無線アクセスネットワークに報告するか否かを判定する報告判定部と、
前記測定結果を前記無線アクセスネットワークに報告する測定報告部と
を備え、
前記報告判定部は、前記測定結果が所定の閾値を超えた場合、前記測定結果を前記無線アクセスネットワークに報告すると判定する移動局。
【請求項２】
前記報告判定部は、前記受信電力の測定結果の度数分布のうち、所定の階級における確率が所定の閾値を超えた場合、前記測定結果を前記無線アクセスネットワークに報告すると判定する請求項１に記載の移動局。
【請求項３】
前記測定報告部は、前記受信電力の測定結果の度数分布を前記無線アクセスネットワークに報告する請求項１に記載の移動局。
【請求項４】
前記測定報告部は、物理レイヤにおける前記測定結果であって、所定の報告条件に基づくフィルタリングが行われる前の前記測定結果に基づいて前記度数分布を前記無線アクセスネットワークに報告する請求項３に記載の移動局。
【請求項５】
前記測定報告部は、所定の報告条件に基づくフィルタリングが行われた後の前記測定結果の平均値を前記無線アクセスネットワークに報告する請求項１に記載の移動局。
【請求項６】
前記測定報告部は、前記受信電力の測定結果の度数分布のうち、相対度数が最も大きい階級の値を前記平均値として前記無線アクセスネットワークに報告する請求項５に記載の移動局。
【請求項７】
前記測定結果の報告形式を指定する報告設定を前記無線アクセスネットワークから取得する報告設定取得部を備え、
前記報告設定は、前記測定結果の度数分布、前記測定結果の平均値、または前記度数分布と前記平均値との両方を報告するかを指定するものであり、
前記測定報告部は、前記報告設定取得部によって取得された前記報告設定に基づいて、前記度数分布、前記平均値、または前記度数分布と前記平均値との両方を前記無線アクセスネットワークに報告する請求項１に記載の移動局。
【請求項８】
免許不要の周波数帯である特定周波数帯にセカンダリーセルを設定し、キャリアアグリゲーションを実行する移動通信方法であって、
前記セカンダリーセルの周波数帯における受信電力を繰り返し測定するステップと、
測定された前記受信電力の測定結果に基づいて、前記測定結果を無線アクセスネットワークに報告するか否かを判定するステップと、
前記測定結果を前記無線アクセスネットワークに報告するステップと
を含み、
前記判定するステップでは、前記測定結果が所定の閾値を超えた場合、前記測定結果を前記無線アクセスネットワークに報告する移動通信方法。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
免許不要の周波数帯である特定周波数帯にセカンダリーセルを設定し、キャリアアグリゲーションを実行する移動局であって、
前記セカンダリーセルの周波数帯における受信電力を繰り返し測定する受信電力測定部と、
前記受信電力測定部によって測定された前記受信電力の測定結果に基づいて、前記測定結果を無線アクセスネットワークに報告するか否かを判定する報告判定部と、
前記測定結果を前記無線アクセスネットワークに報告する測定報告部と
を備え、
前記報告判定部は、前記受信電力の測定結果の度数分布のうち、所定の階級における確率が所定の閾値を超えた場合、前記測定結果を前記無線アクセスネットワークに報告すると判定し、
前記測定結果は、前記受信電力の平均値である移動局。
【請求項２】
前記測定報告部は、前記受信電力の測定結果の度数分布を前記無線アクセスネットワークに報告する請求項１に記載の移動局。
【請求項３】
前記測定報告部は、物理レイヤにおける前記測定結果であって、所定の報告条件に基づくフィルタリングが行われる前の前記測定結果に基づいて前記度数分布を前記無線アクセスネットワークに報告する請求項２に記載の移動局。
【請求項４】
前記測定報告部は、所定の報告条件に基づくフィルタリングが行われた後の前記測定結果の平均値を前記無線アクセスネットワークに報告する請求項１に記載の移動局。
【請求項５】
前記測定報告部は、前記受信電力の測定結果の度数分布のうち、相対度数が最も大きい階級の値を前記平均値として前記無線アクセスネットワークに報告する請求項４に記載の移動局。
【請求項６】
前記測定結果の報告形式を指定する報告設定を前記無線アクセスネットワークから取得する報告設定取得部を備え、
前記報告設定は、前記測定結果の度数分布、前記測定結果の平均値、または前記度数分布と前記平均値との両方を報告するかを指定するものであり、
前記測定報告部は、前記報告設定取得部によって取得された前記報告設定に基づいて、前記度数分布、前記平均値、または前記度数分布と前記平均値との両方を前記無線アクセスネットワークに報告する請求項１に記載の移動局。
【請求項７】
免許不要の周波数帯である特定周波数帯にセカンダリーセルを設定し、キャリアアグリゲーションを実行する移動通信方法であって、
前記セカンダリーセルの周波数帯における受信電力を繰り返し測定するステップと、
測定された前記受信電力の測定結果に基づいて、前記測定結果を無線アクセスネットワークに報告するか否かを判定するステップと、
前記測定結果を前記無線アクセスネットワークに報告するステップと
を含み、
前記判定するステップでは、前記受信電力の測定結果の度数分布のうち、所定の階級における確率が所定の閾値を超えた場合、前記測定結果を前記無線アクセスネットワークに報告し、
前記測定結果は、前記受信電力の平均値である移動通信方法。